(57)【要約】【課題】アッパー部と靴底部のいずれかを交換して使用可能な履物を提供する。【解決手段】アッパー部１と靴底部２と、それらを連結するファスナー３とからなることを特徴とする履物であり、基本となる靴底部に対し複数種のアッパー部を交換してファスナー３により連結使用される。靴の使用目的により靴底部２をその種類を代えてファスナーにより連結使用される履物とした。アッパー部から垂下したカバー材又は靴底部から起立したカバー材７によりファスナーが被覆され、ファスナーが靴底部の踵を残して周回し、ファスナーがスライドファスナーであり、靴底部２を周回するファスナー３の始端部と終端部付近を合一させたのである。【選択図】        図１
2004242687.tif 000002
【特許請求の範囲】
【請求項１】
アッパー部と靴底部と、それらを連結するファスナーとからなることを特徴とする履物。
【請求項２】
基本となる靴底部に対し複数種のアッパー部を交換してファスナーにより連結使用される請求項１記載の履物。
【請求項３】
基本となるアッパー部に対し、靴の使用目的により靴底部をその種類を代えてファスナーにより連結使用される請求項１記載の履物。
【請求項４】
アッパー部から垂下したカバー材又は靴底部から起立したカバー材によりファスナーが被覆されてなる請求項１乃至３のいずれかに記載の履物。
【請求項５】
ファスナーが靴底部の踵を残して周回する請求項１乃至４のいずれかに記載の履物。
【請求項６】
ファスナーがスライドファスナーであり、靴底部を周回するファスナーの始端部と終端部付近を合一させてなる請求項１乃至３のいずれかに記載の履物。
【発明の詳細な説明】
【０００１】
【発明の属する技術分野】
本発明はアッパー部と靴底部とをいずれも交換して使用可能な履物に関する。
【０００２】
【従来の技術】
スポーツシューズ、スニーカー、オーバーシューズ、ブーツ、サドル・シューズ等は、布又は合成樹脂製のアッパー部と、合成樹脂、ゴム、皮革等の靴底部とが縫着や接着によって一体化されている。特に縫着や接着技術は靴の強度、耐久性等を高めるために重要であるとされてきた。
【０００３】
【発明が解決しようとする課題】
これまでの靴はアッパー部と靴底部が一体であったから、いずれか一方が破損すると廃棄処分するか、修理のために出すといった、履けない状態となっている。また、履く場所が屋内のみとか、屋外に限定される靴の場合、その場所から移動する時には代わりの靴を持参して履き替える必要がある。更に、最近ではバラエティーに富む多様なデザインの靴が市販されており、所有する複数の靴の中からその時々に応じて履くようにしている人も多い。このような時にアッパー部のみを交換できれば、嵩む靴底（固くて折り畳むことができない）の必要個数を削減したり、履いている途中でアッパー部を替えることができるので、持参や保管時に嵩張らず、保管場所を取らないので便利である。そこで、アッパー部と靴底部とをいずれも交換して使用可能な履物を提供することとした。
【０００４】
【課題を解決するための手段】
上記課題を検討した結果、アッパー部と靴底部と、それらを連結するファスナーとからなることを特徴とする履物とした。基本（基体）を靴底部とし、これに対し複数種のアッパー部を交換してファスナーにより連結使用される履物としたのである。例えば、外出場所で靴を履いて立ったままの状態で、アッパー部のみの交換使用を可能としたのである。ファスナーとしてはスライドファスナー、布製面ファスナー、ドットボタン等の使用が可能であるが、特に、強度面、操作性等の理由からスライドファスナーが好ましい。ここにいうアッパー部には、足の甲を総て覆うもののみに限定するものではなく、サンダル履物のように足先が開放状態のものであっても構わない。
【０００５】
また、基本（基体）をアッパー部としこれに対し、靴の使用目的により靴底部をその種類を代えてファスナーにより連結使用される履物ともしたのである。例えば、ローラースケートとか、アイススケート、アイスホッケー等においては、靴底部が特殊である。これらは使用を終えた後、アッパー部はそのままにして靴底部のみを替えてその場から移動するといったことが可能となるのである。
【０００６】
ファスナーは破損や故障を避け、また、デザイン性を高めるために露出しないようにすることができ、その場合の構造としては、アッパー部から垂下したカバー材（スカート）又は靴底部から起立したカバー材によりファスナーを被覆するのが好ましい。
【０００７】
更に、ファスナーは靴底部の踵を残して周回するようにすると、ファスナーを着脱する際に片手で踵上部の残された片を掴み、もう一方の手でファスナーのスライダーを操作するといったことが、たやすくできるので便利である。
【０００８】
ファスナーがスライドファスナーの例では、靴底部近傍を周回するファスナーの始端部と終端部付近を合一するようにすることによって、履物の踵部を一部残す必要がなくなり、アッパー部が全周一体物として作成できる。始端部と終端部を合一に形成してもフレキシブルな布製テープ部によって、スライダーの脱着が容易である。また、デザイン的にも優れたものとなる。
【０００９】
【発明の実施の形態】
以下本発明を図面に基づいて詳細に説明する。図１は本発明の履物の一実施態様のスポーツシューズの斜視図、図２は同シューズの分解斜視図である。図３は図１中Ｐ部拡大側面図である。これらの図から明らかなように、アッパー部１と靴底部２とをファスナー３で連結している。ファスナー３はこの場合スライドファスナーを採用している。ファスナー３は靴底部２の踵４を残して周回させており、ファスナーを操作する際に片手で踵上部に残された片５を掴み、もう一方の手でファスナーのスライダー６を持って操作すると、靴底部２に足を載せたままの状態でアッパー部１を交換することができるのである。この逆に靴底部２を乾燥させたり、紫外線殺菌する場合などでは、靴底部２を乾燥、殺菌したものとか、使用目的に合致したものに交換し、アッパー部１はこれまでのものを使用することもできる。アッパー部１の後部には、スライダー６が直接肌に接したり、歩行時等にずれないよう、片側のみから又は両側から中央合わせの裏当てカバーを設けるとよい。
【００１０】
図４は図３中Ａ−Ａ断面図であり、ファスナー３が露出した状態である。ファスナー３を強調したデザインとするには、このようにファスナー３を露出させてもよい。しかし、図５，６はファスナー３又はそのスライダー６が足に直接又は靴下等に触れるのを防止したり、デザイン面からファスナー３又はそのスライダー６を隠すことのできる構造である。図５の例はアッパー部１からカバー材７，７を垂下させた例である。また、図６の例はカバー材７，７を靴底部２から起立させた例である。カバー材７は履物の内面と外面の両面に設けているが、いずれか片面にのみ設けてもよい。また、ファスナーの端部のみを隠すように一部分に設けてもよい。
【００１１】
アッパー部１と靴底部２とをファスナー３で連結する場合の態様の一つとして、ファスナー３を靴底部２近傍全周を周回させる構造とすることもできる。その場合には、図７に要部平面図を示すが、靴底部２の近傍を周回するファスナー３は始端部３ａと終端部３ｂ付近を合一させ、アッパー部１のファスナーは周回させて端部を突き合わせてスライダー６へ一端を挿入する構造とすることによって、アッパー部１と靴底部２とを連結する際にスライダー６への歯（エレメント）の初期の挿入を容易にして、この連結を容易にすることができる。スライドファスナーはエレメントの小さい、例えば衣服用を用いることによってなるべく外部に露出しないようにすることもできる。
【００１２】
これまでに図示した実施例の履物は、スポーツシューズに関するものであったが、スニーカー、オーバーシューズ、ブーツ、サドル・シューズ、サンダル、その他、ローラースケートとか、アイススケート、アイスホッケー用靴等にも実施できる。地下足袋にも二股部分より足寄りにファスナーを設けることができる。
【００１３】
図８に示すのは、アッパー部１の踵側が高い場合の例である。この場合は上部にファスナーカバー片８を設けており、これによりファスナー３のエレメント又はスライダー６の踵上部での露出と、これらが直接足に接触するのを防げ、痛みを感じなくなる。ファスナーカバー片８には先端近傍へドットボタン９あるいは面ファスナーを設けておくと、アッパー部１の踵側上部が高くても開くのを防止することができる。また、開くのを防止するカバーを上部内面側から外方全面を覆う構造のカバーとしてもよい。例えばバスケットシューズの場合などのように踵上部に形成された片５の高さよりも高いアッパー部１を持つシューズも考えられる。更に、スライドファスナー３の始端と終端を踵上部に形成された片５の部分となるように設ける場合も考えられる。
【００１４】
【発明の効果】
本発明の履物は、取り外したアッパー部は洗濯機を用いて簡単に洗濯でき、早期に乾燥できる。アッパー部と靴底部が別体で、ファスナーにより連結されているので、いずれか一方が破損するとその部分のみ廃棄処分するとか、修理に出すことができて、いずれか一方を替えれば履くことができる。また、履く場所が別の個所へ移動する場合でもアッパー部と靴底部のいずれかを替えるだけで履き替える必要がない。更に、バラエティーに富む多様なデザイン、柄、材質（織布、レザー、合成皮革）のアッパー部を交換することによって、簡単にニーズに対応することができる。その場合に持参や保管時に嵩張らず、保管場所を取らないので便利であり、かつ天候にも対応できる。このようなアッパー部と靴底部のいずれかを交換して使用可能な履物を提供することができることとなった。
【図面の簡単な説明】
【図１】本発明の履物の一実施態様のスポーツシューズの斜視図である。
【図２】同シューズの分解斜視図である。
【図３】図１中Ｐ部拡大側面図である。
【図４】図３中Ａ−Ａ断面図である。
【図５】カバー材をアッパー部から垂下させた例の図４相当断面図である。
【図６】カバー材を靴底部から起立させた例の図４相当断面図である。
【図７】ファスナーを靴底部近傍全周を周回させる構造の場合の要部平面図である。
【図８】本発明の履物の一実施態様でアッパー部の踵側が高い場合の要部分解斜視図である。
【符号の説明】
１  アッパー部
２  靴底部
３  ファスナー
４  踵
５  踵上部に残された片
６  スライダー
７  カバー材
８  ファスナーカバー片
９  ドットボタン
【図１】
2004242687.tif 000003
【図２】
2004242687.tif 000004
【図３】
2004242687.tif 000005
【図４】
2004242687.tif 000006
【図５】
2004242687.tif 000007
【図６】
2004242687.tif 000008
【図７】
2004242687.tif 000009
【図８】
2004242687.tif 000010